(57)【特許請求の範囲】
【請求項１】
上方に設置された上部レールと下方に設置された下部レールとによって前記上部レール及び前記下部レールの延在方向に摺動可能に上下方向の端部が保持され、前記上部レール及び前記下部レールの延在方向に互いに連結される複数のパーテーションと、
前記パーテーションにおいて前記上部レール及び前記下部レールの延在方向側の端部と側壁との間に配置された弾性材とより構成され、
前記パーテーションには、他の前記パーテーションとの連結部に連結フレームが設けられ、
前記連結フレームには、前記他のパーテーションに設けられた前記連結フレームの連結凹部に嵌め込められ、前記他のパーテーション側に突出する連結凸部と、前記他のパーテーションに設けられた前記連結フレームの前記連結凸部が嵌め込まれる前記連結凹部と、前記パーテーションの外面において前記他のパーテーションに設けられた前記連結フレームとの連結部分を覆う保護カバー部と、が設けられている、
ことを特徴とするパーテーションシステム。
【請求項２】
前記上部レールには、下側に向けて突出する板状のレール部が設けられ、
前記連結フレームは、上端に、前記レール部が嵌め込まれるスリット状の上部レール嵌込部が少なくとも設けられるとともに、下端に、前記下部レールが嵌め込まれる凹状の下部レール嵌込部が少なくとも設けられ、
前記上部レール嵌込部には、スリット方向の略中央部にスリットの幅が狭くなるように形成され、前記レール部を挟み込む挟込部と、前記挟込部からスリットの開口側に向かってスリットの幅が徐々に広くなるように形成されたガイド部とが設けられている、
ことを特徴とする請求項１に記載のパーテーションシステム。
【請求項３】
前記上部レール嵌込部及び前記下部レール嵌込部は、前記連結フレームの上端及び下端の双方にそれぞれ設けられ、
前記下部レール嵌込部は、前記上部レール嵌込部の前記ガイド部に形成された段部によって構成されている、
ことを特徴とする請求項２に記載のパーテーションシステム。
【発明の詳細な説明】
【技術分野】
【０００１】
本発明は、空間を区切るパーテーションシステムに関する。
【背景技術】
【０００２】
従来、部屋等の空間を区切るためのパーテーションシステムとして、例えば特許文献１に記載されたものがある。このパーテーションシステムでは、板状のパーテーションの上端と下端とを、それぞれ部屋の天井と床面とに固定することによって空間を区切っている。
【先行技術文献】
【特許文献】
【０００３】
【特許文献１】特開２００６−００９２６８号公報
【発明の概要】
【発明が解決しようとする課題】
【０００４】
しかしながら、上記のようなパーテーションシステムでは、空間全体を隙間なく区切るようにするためには、パーテーションの設置、固定構造が複雑となり、パーテーションの設置や取り外しが困難であるといった問題がある。
【０００５】
そこで本発明はこのような問題点に鑑み、パーテーションの設置や取り外しが容易なパーテーションシステムを提供することを目的とする。
【課題を解決するための手段】
【０００６】
そのため本発明は、天井等の上方に設置された上部レールと床等の下方に設置された下部レールとによって、上部レール及び下部レールの延在方向に摺動可能に上下方向の端部が保持され、上部レール及び下部レールの延在方向に互いに連結される複数のパーテーションと、パーテーションにおいて上部レール及び下部レールの延在方向側の端部と側壁との間に配置された隙間調整用の弾性材とより構成されたことを特徴とする。
【０００７】
本発明によれば、天井等に設置された上部レールと、床面等に設置された下部レールとによってパーテーションを立設させ、パーテーションと側壁との隙間を弾性材によって封止することにより、この隙間を利用して両端部のパーテーションの取付けにおいて、パーテーションの両側に手を差し込み可能とし、パーテーションの設置や取り外しを容易に行うことができる。また、パーテーションの設置を隙間なく施工することができる。
【０００８】
さらに、パーテーションには、他のパーテーションとの連結部に連結フレーム(縦枠)が設けられ、この連結フレームには、他のパーテーションに設けられた連結フレームの連結凹部に嵌め込められる連結凸部を一側に、他側に、他のパーテーションに設けられた連結フレームの連結凸部が嵌め込まれる連結凹部が設けられ、パーテーションの外面において連結フレームの連結部分を覆う保護カバー部と、が設けられていることが好ましい。
このように、一方のパーテーションに設けられた連結フレームの連結凸部が、他方のパーテーションに設けられた連結フレームの連結凹部に嵌め込まれるため、パーテーション同士を隙間なく強固に連結することができると共に、連結部分において光の漏れを防止することができる。さらにまた、連結部分が保護カバー部によって覆われることにより、安全性を高めることができる。
【０００９】
また、上部レールには、下側に向けて突出する板状のレール部が設けられ、連結フレームは、上端に、レール部が嵌め込まれるスリット状の上部レール嵌込部と、下端に、下部レールが嵌め込まれる凹状の下部レール嵌込部とが設けられ、上部レール嵌込部には、スリット方向の略中央部にスリットの幅が狭くなるように形成され、レール部を挟み込む挟込部と、挟込部からスリットの開口側に向かってスリットの幅が徐々に広くなるように形成された断面Ｖ字状のガイド部とが設けられていることが好ましい。
【００１０】
これにより、天井等に設けられた上部レールのレール部に、パーテーションの上部レール嵌込部を容易に嵌め込めパーテーションを固定することができる。また、上部レール嵌込部に形成された挟込部によって上部レールのレール部を挟み込むことにより、パーテーションを安定に固定することができる。  また、上部レール嵌込部及び下部レール嵌込部は、連結フレームの上端及び下端の双方にそれぞれ設けられ、下部レール嵌込部は、上部レール嵌込部のガイド部に形成された段部によって構成されていることが好ましい。これにより、パーテーションの上下方向の制約がなくなるためパーテーションの設置が容易となる。
【発明の効果】
【００１１】
本発明によれば、パーテーションの設置や取り外しが容易なパーテーションシステムを提供することができる。
【図面の簡単な説明】
【００１２】
【図１】実施形態に係るパーテーションシステムを示す全体構成図である。
【図２】パーテーションの設置方法を示す図である。
【図３】クッション材の設置方法を示す図である。
【図４】パーテーションの連結状態を示す図である。
【図５】パーテーションが上部レール及び下部レールに固定される構成を示す図である。
【図６】パーテーション連結部の別に実施例である。
【発明を実施するための形態】
【００１３】
次に、本発明の実施の形態を説明する。なお、本実施形態において、同一構成要素には同一番号を付して説明を省略する。
【００１４】
図１は、パーテーションシステムを示す全体構成図であり、図２は、パーテーションの設置方法を示す図である。図３は、クッション材の設置方法を示す図であり、図４は、パーテーションの連結状態を示す図である。また、図５は、パーテーションが上部レール及び下部レールに固定される構成を示す図である。
【００１５】
図１に示すように、上部レール５０と、下部レール６０（図２等参照）と、パーテーション１０と、クッション材３０とによってパーテーションシステム１が構成される。
【００１６】
図５に示すように、上部レール５０は、天井５５に固定金具５２によって固定される。上部レール５０には、下側に向けて突出する板状のレール部５１が設けられている。なお、上部レール５０を天井５５に取り付けるものとしたが、天井以外にも、例えば、上方に設置された鴨居やフレーム等、上部レール５０を固定可能なものに取り付けることができる。また、固定金具５２として、天井５５の材質に応じて釘やネジ等を用いることができる。
【００１７】
また、図４に示すように、下部レール６０は、床面６５に固定金具６２によって固定される。下部レール６０は、床面６５に設けられている。なお、下部レール６０を床面６５に取り付けるものとしたが、床面以外にも、例えば下方に設置されたフレーム等、下部レール６０を取り付け可能なものに取り付けることができる。また、固定金具６２として、床面６５の材質に応じて釘やネジ等を用いることができる。
【００１８】
また、図２、図４に示すように、パーテーション１０は、ダンボール、木材、発泡スチロールその他軽量樹脂からなる板状の本体部２５と、本体部２５の両端に取り付けられたパーテーションの材質より曲げ強度の高い材質である硬質樹脂、鋼材、アルミニュームなどからなる連結フレーム（縦枠）１１と、本体部２５の上端及び下端にそれぞれ取り付けられたカバー２６とより構成されている。この構成によりパーテーション全体の面強度を高めることができる。
【００１９】
連結フレーム１１は、本体部２５よりもパーテーション１０の上下方向に突出している。カバー２６は、連結フレーム１１が本体部２５から突出した部分に設けられている。カバー２６は、図３に示すように、２枚のカバー部材２６ａが間隔を有して突出しており、パーテーション１０を上部レール５０に取り付けたときに、カバー部材２６ａ間にレール部５１が入り込み、レール部５１にカバー２６が干渉しないようになっている。
【００２０】
また、連結フレーム１１には、特に図５に示すように、上下方向の端部にレール嵌込部２０（上部レール嵌込部）が形成されている。レール嵌込部２０は、上部レール５０のレール部５１が嵌め込まれるものであり、スリット状に形成されている。レール嵌込部２０には、スリット方向の略中央部にスリットの幅が狭くなるように形成され、上部レール５０のレール部５１を挟み込む挟込部２２と、挟込部２２からスリットの開口側に向かってスリットの幅が徐々に広くなるように形成されたガイド部２３と、ガイド部２３に形成された段部２１（下部レール嵌込部）とが設けられている。
【００２１】
挟込部２２は、上部レール５０のレール部５１が嵌め込まれたときに、レール部５１を挟み込んで保持するものである。ガイド部２３は、上部レール５０のレール部５１をレール嵌込部２０内に嵌め込むときのガイドとなり、開口部が広くなっていることで、パーテーション２５を斜めに嵌め込むのが容易に行なえることになる（図２参照）。ガイド部２３に形成された段部２１は、下部レール６０が嵌め込まれるものである。
【００２２】
また、連結フレーム１１には、特に図４に示すように、連結フレーム１１の延在方向から見たときに、一方側の端部においてパーテーション１０の連結部分を覆うと共に連結される他のパーテーション１０側に延びる断面半円状の保護カバー部１２と、保護カバー部１２の近傍において、連結される他のパーテーション１０側に突出する突出部１３とが設けられ、保護カバー部１２と突出部１３との間に連結凹部１４が形成される。また連結フレーム１１には、他方側の端部に、連結される他のパーテーション１０側に突出する連結凸部１５が設けられている。
【００２３】
パーテーション１０の連結時には、一方のパーテーション１０に設けられた連結フレーム１１の連結凹部１４に、隣接するパーテーション１０に設けられた連結フレーム１１の連結凸部１５が嵌め込まれる。また、一方のパーテーション１０の他側に設けられた連結フレーム１１の連結凸部１５が、さらに他側の隣接するパーテーション１０に設けられた連結フレーム１１の連結凹部１４に嵌め込まれる。  なお、この連結フレームは、図６に示すような形態でもよく、この連結部であれば、隣接するパーテーションの連結部との嵌合がより強固とできる。
【００２４】
また、特に図３，図４に示すように、パーテーション１０と側壁３５との隙間には、クッション材３０（隙間調整弾性材）が嵌め込まれる。このクッション材３０は、特に図４に示すように、連結フレーム１１の連結凸部１５と突出部１３の間の凹部に嵌め込まれて位置ずれが防止されている。なお、側壁３５とは、側壁だけに限らず、例えば、パーテーション１０の横に位置する柱等、壁以外の部材を含む趣旨である。
【００２５】
パーテーションシステム１によって空間を区切る際には、図２に示すように、パーテーション１０の上部を上部レール５０に嵌め込み、そしてパーテーション１０の下部を下部レール６０に嵌め込んで上下方向の端部を固定する。この嵌め込みの時には、パーテーション１０の両側の連結フレーム１１を作業者の左右の手でそれぞれ掴み、持ち上げながら上下レールに嵌め込み作業を行なうので、連結するパーテーション間には手を差し込むための空間が必要となる。
【００２６】
その後、各パーテーション１０は、上部レール５０及び下部レール６０の延在方向に摺動可能となっており、設置位置の調節ができる。そして、所定枚数のパーテーション１０を連結した後、側壁３５とパーテーション１０の間に生じる空間をクッション材３０によって塞ぐ（図３参照）。
【００２７】
パーテーション１０を取り外す際には、このクッション材３０を取り外し、パーテーション１０と側壁３５との間にできた空間に手を差し込むことによりパーテーション１０を容易に掴むことが可能となり、パーテーション１０の取り外しを容易に行うことができる。
【００２８】
本実施形態は以上のように構成され、天井５５に設置された上部レール５０と、床面６５に設置された下部レール６０とによってパーテーション１０を立設させ、パーテーション１０と側壁３５との隙間をクッション材３０によって封止することにより、空間全体を隙間なく容易に区切ることができる。
【００２９】
また、一方のパーテーション１０に設けられた連結フレーム１１の連結凸部１５が、隣接するパーテーション１０に設けられた連結フレーム１１の連結凹部１４に嵌め込まれるため、パーテーション１０同士をガタツキなく強固に連結することができると共に、連結部分において光の漏れを防止することができる。また、連結部分が保護カバー部１２によって覆われていることにより、安全性を高めることができる。
【００３０】
また、天井５５に設けられた上部レール５０のレール部５１に、パーテーション１０のレール嵌込部２０を嵌め込むだけで容易にパーテーション１０を固定することができる。また、レール嵌込部２０に形成された挟込部２２によって上部レール５０のレール部５１を挟み込むことにより、パーテーション１０を安定して固定することができる。また、ガイド部２３が傾斜していることによって、レール部５１をレール嵌込部２０に嵌め込む際のガイドとなり、パーテーション１０の設置が容易となる。
【００３１】
連結フレーム１１の上端及び下端の双方に、段部２１が形成されたレール嵌込部２０を設けることにより、パーテーション１０の上下方向の制約がなくなるため、パーテーション１０の設置が容易となる。
【符号の説明】
【００３２】
１・・・パーテーションシステム、１０・・・パーテーション、１１…連結フレーム、１２…保護カバー部。１４…連結凹部、１５…連結凸部、２０…レール嵌込部、２１…段部、２２…挟込部、２３…ガイド部、３０…クッション材、３５…側壁、５０…上部レール、５１…レール部、６０…下部レール。
【図１】
0005634097.tif 000002
【図２】
0005634097.tif 000003
【図３】
0005634097.tif 000004
【図４】
0005634097.tif 000005
【図５】
0005634097.tif 000006
【図６】
0005634097.tif 000007